(57)【要約】【課題】従来の基材上にプレス治具を用いて複数の突板を端面が密着するように接着する方法では、突板間に隙間ができるために、突板間から基材が見えてしまい、見栄えが悪かった。【解決手段】プレス治具に突板保持用ホゾを設け、複数の突板に突板保持用ホゾに適合する穴を設けた。基材に複数の突板を密着するように接着する際に、突板の穴をプレス治具の突板保持用ホゾにはめて、基材上の突板の位置を固定することにより、プレス時に突板間の間隙を拡張させないことが可能であり、このため、基材が少ししか見えないので、突板接着済み基材の見栄えが良くなる。【選択図】図１
2008149620.tif 000002
【特許請求の範囲】
【請求項１】
基材上にプレス治具を用いて複数の突板を端面が密着するように接着する方法であって、
前記プレス治具は突板保持用のホゾを有していて、前記複数の突板は突板保持用のホゾにはまる穴を有し、該ホゾと穴は、各突板が２箇所以上で保持されるように各突板に対して、２つ以上設けられていて、
前記基材をプレス治具に配置する段階と、
前記基材上に接着剤を添付する段階と、
前記複数の突板の前記穴を前記プレス治具の前記突板保持用のホゾにはめて、隣接する前記突板の前記端面が密着するように、前記突板を前記基材に貼り合わせる段階と、
プレスをして、前記突板を前記基材に接着する段階と、
突板接着済み基材の外周を切断して、製品形状にする段階と、
を有する、方法。
【請求項２】
前記ホゾと前記穴は、それぞれの突板を接着する際に向かい合わせになる各端面の近傍に、端面の延長方向に沿うように配置されている、請求項１に記載の方法。
【請求項３】
前記突板の前記穴が、切断される前記突板接着済み基材の外周部に設けられる、請求項１または２に記載の方法。
【請求項４】
請求項１〜３の方法により製作された、前記突板接着済み基材に、コーティング材をコーティングする段階を更に有する、基材上にプレス治具を用いて複数の突板を端面が密着するように接着する方法。
【発明の詳細な説明】
【技術分野】
【０００１】
本発明は、基材上にプレス治具を用いて複数の突板を端面が密着するように接着する方法に関する。
【背景技術】
【０００２】
従来の基材上に複数の突板の端面が密着するように接着する方法では、突板の端面間に隙間ができるために、突板間から基材が見えてしまい、見栄えが悪かった。特にブビンガのように木の導管が強くある材料の突板では、接着剤の中に含まれている水分が材料に浸み込み、プレス後の養生で突板中の水分が蒸発し、突板が収縮し、突板の継ぎ目がより拡張されてしまうことがあり、更に見栄えが悪くなっていた。また、その突板接着済み基材上を、ポリエステルクリアなどのコーティング材でコーティングして完成製品を作る場合には、突板の端面間の隙間にポリエステルクリアが浸入してしまい、凹状のくぼみが生成されるため、見栄えが悪かった。
【０００３】
そこで、突板の端面間から基材が見えないようにするために、間隙ができないように突板の端部を重ねる方法が開示されている。
【０００４】
しかし、突板の端部のみ、突板の厚みが約２倍になるために、凸部を生じ、見栄えが悪いと共に、ポリエステルクリアなどでコーティングした場合に、端部に凸部ができてしまうため、見栄えが悪かった。
【０００５】
更に、突板の端面間から基材が見えないようにするために、２つの突板上の端部に間隙を覆うように、別の突板を貼り合わせる方法が、特許文献１で紹介されている。
【０００６】
しかし、この方法でも、突板の端部及び間隙上が突板の約２倍の厚さになるために、凸部を生じ、見栄えが悪いと共に、その突板上を、ポリエステルクリアなどでコーティングした場合にも、突板の端部及び間隙上に凸部が生じるため、見栄えが悪かった。
【０００７】
【特許文献１】特開２００４−２１６７５９
【発明の開示】
【発明が解決しようとする課題】
【０００８】
本発明は、基材が見えて見栄えの悪い、突板間の間隙を少なくすると共に、突板上をポリエステルクリアなどのコーティング材でコーティングをした場合であっても、コーティングの凹凸を小さくして、見栄え良く、基材上に複数の突板を、端面が密着するように接着する方法を提供することを目的としている。
【課題を解決するための手段】
【０００９】
請求項１の発明によれば、基材上にプレス治具を用いて複数の突板を端面が密着するように接着する方法であって、プレス治具は突板保持用のホゾを有していて、複数の突板は突板保持用のホゾにはまる穴を有し、該ホゾと穴は、各突板が２箇所以上で保持されるように各突板に対して、２つ以上設けられていて、基材をプレス治具に配置する段階と、基材上に接着剤を添付する段階と、複数の突板の穴をプレス治具の突板保持用のホゾにはめて、隣接する突板の前記端面が密着するように、突板を基材に貼り合わせる段階と、プレスをして、突板を基材に接着する段階と、突板接着済み基材の外周を切断して、製品形状にする段階と、を有する、方法が提供される。
【００１０】
すなわち、請求項１の発明では、プレス治具に突板保持用のホゾを有し、突板に突板保持用のホゾにはまる穴を有していて、ホゾと穴は、各突板が２箇所以上で保持されるように２つ以上設けられているので、穴をホゾにはめることにより、プレス治具に突板が固定され、プレス時に、突板間の間隙を拡張しないで、突板と基材とを接着できる。
【００１１】
請求項２の発明によれば、前記ホゾと前記穴は、それぞれの突板を接着する際に向かい合わせになる各端面の近傍に、端面の延長方向に沿うように配置されている、方法が提供される。
【００１２】
すなわち、前記ホゾと前記穴は、それぞれの突板を接着する際に向かい合わせになる各端面の近傍に、端面の延長方向に沿うように配置されているので、端面近傍の位置を固定することができる。
【００１３】
請求項３の発明によれば、突板の穴が、切断される、突板接着済み基材の外周部に設けられる、方法が提供される。
【００１４】
すなわち、突板の穴が、切断される、突板接着済み基材の外周部に設けられているので、外周部を切断すれば突板の穴を取り除くことができる。
【００１５】
請求項４の発明によれば、突板接着済み樹脂基材の外周が切断された製品に、コーティング材をコーティングする段階を更に有する、基材上にプレス治具を用いて複数の突板を端面が密着するように接着する方法が提供される。
【００１６】
すなわち、請求項４の発明では、突板上に更にコーティング材がコーティングされているが、突板間の間隙が拡張されないので、コーティング材の凹凸を少なくできる。
【発明の効果】
【００１７】
請求項１に記載の発明によれば、基材上に、突板間の間隙を拡張しないで、複数の突板の端面を密着して突板を接着できるので、突板間にわずかな間隙しか有さない、見栄えの良い、突板接着済み基材を作ることができる。また、特にブビンガのように木の導管が強くある材料の突板の場合には、接着剤の中に含まれている水分が材料に浸み込み、プレス後の養生で突板中の水分が蒸発し、突板が収縮するが、プレス治具の突板保持用のホゾに突板の穴がはまり、突板の位置を固定するので、この状態で養生すれば、突板の収縮によるズレも抑制できる。更に、特許文献１のように、別の突板を突板上に接着する必要がないので、工数の低減が可能となる。
【００１８】
請求項２に記載の発明によれば、前記ホゾと前記穴は、ぞれぞれの突板を接着する際に向かい合わせになる各端面の近傍に、端面の延長方向に沿うように配置されているので、端面近傍を固定することができ、それぞれの突板を密接して接着することができる。
【００１９】
請求項３の発明によれば、突板の穴が、切断される、突板接着済み基材の外周部に設けられているので、外周部を切断すれば、穴を取り除くことができるので、追加作業なしに容易に、穴を取り除くことができる。
【００２０】
請求項４に記載の発明によれば、基材上で、突板間の間隙を拡張せずに接着された突板上に、コーティング材をコーティングできるので、コーティング材を、凹凸が少なく、見栄えの良く、突板接着済み基材にコーティングできる。
【発明を実施するための最良の形態】
【００２１】
以下、添付図面を用いて本発明の実施形態について説明する。
【００２２】
図１は、本発明の基材２上にプレス治具１を用いて突板３を密着するように接着する方法を図示する。図２は、プレス治具１は、突板保持用のホゾ４を有していて、複数の突板３は、突板保持用のホゾ４にはまる、穴８を有し、ホゾ４と穴８は、各突板が２箇所で保持されるように、各突板に対して、２個設けられていることを図示している。ここで、ホゾ４と穴８はそれぞれ２個以上あってもよく、プレス治具１は、木製でも、アルミニューム製などの金属製でもよい。また、突板保持用のホゾ４は、木の棒でも、鉄などの金属製の棒でもよい。更に、突板３は、ブビンガ、バーズアイメイプル、カーリーメイプル、クラロウォールナット、ホワイトアッシュバールおよびサペリマホガニーなどの部材から作られることができる。図１に戻って、基材２上に突板３を接着する方法は、基材２をプレス治具１に配置する段階１と、基材２上に接着剤５を塗布する段階２と、複数の突板３の穴８をプレス治具１の突板保持用のホゾ４にはめて、隣接する突板３の端面が密着するように、突板３を基材２に貼り合わせる段階３と、プレスをして、突板３を基材２に接着する段階４と、突板接着済み基材６の外周を切断して、製品形状にする段階５を有することを図示している。ここで、突板３の穴８は、切断される突板接着済み基材６の外周部に設けられている。図３は図１の段階３を示す図のＡ-Ａ線に沿った断面図である。なお、接着剤５は、あらかじめ基材２に塗布されていてもよい。
【００２３】
図２に戻って、ホゾ４と穴８は、それぞれの突板３を接着する際に向かい合わせになる各端面の近傍に、端面の延長方向に沿うように配置されている。
【００２４】
図４は、図１の段階に、更に、コーティング材９を塗布する段階６を更に有する、基材上に突板を接着する方法を図示している。この段階６を経て完成製品７となる。
【図面の簡単な説明】
【００２５】
【図１】本発明の基材上に突板を接着する方法の段階を示す斜視図である。
【図２】本発明のプレス治具と突板を示す斜視図である。
【図３】図１の段階1を示す斜視図のＡ-Ａ線に沿った断面図である。
【図４】図１の段階にコーティング材をコーティングする段階を追加した斜視図である。
【符号の説明】
【００２６】
１    プレス治具
２    基材
３    突板
４    突板保持用ホゾ
５    接着剤
６    突板接着済み基材
７    完成製品
【図１】
2008149620.tif 000003
【図２】
2008149620.tif 000004
【図３】
2008149620.tif 000005
【図４】
2008149620.tif 000006